(57)【要約】【課題】過電流による発熱を抑制できる電子機器を提供すること。【解決手段】携帯電話機１は、電流を消費する本体部８０と、本体部８０に電流を供給する充電池３２と、充電池３２から本体部８０に供給される供給電流を検出する電流検出抵抗Ｒｓと、電流検出抵抗Ｒｓにより検出される供給電流に応じた電圧が所定の閾値を超えた場合、所定の電圧を出力する電流監視部と、所定の電圧に基づいて、充電池３２から本体部８０への電流の供給を遮断するＦＥＴスイッチ４６とを備える。【選択図】図４
2010200502.tif 000002
【特許請求の範囲】
【請求項１】
電流を消費する本体部と、
前記本体部に電流を供給する供給部と、
前記供給部から前記本体部に供給される供給電流を検出する電流検出部と、
前記電流検出部により検出される前記供給電流に基づいて算出される電圧が所定の閾値を超えた場合、所定の電圧を出力する電流監視部と、
前記所定の電圧に基づいて、前記供給部から前記本体部への電流の供給を遮断するトランジスタスイッチ部とを備えることを特徴とする電子機器。
【請求項２】
前記電流検出部は、所定の抵抗値を有する抵抗を含んで構成されており、
前記所定の閾値は、前記所定の抵抗値に応じた値であることを特徴とする請求項１に記載の電子機器。
【請求項３】
前記本体部の動作状態を監視する動作状態監視部と、
前記動作状態と当該動作状態に応じた電流値とを対応付けて記憶する記憶部と、
前記動作状態監視部により監視される動作状態と前記記憶部に対応付けて記憶される前記動作状態に応じた電流値とに基づいて、前記所定の閾値を設定する設定部とを更に備えることを特徴とする請求項１に記載の電子機器。
【請求項４】
前記電流監視部は、前記本体部に備えられ、
前記供給部に備えられ、前記電流監視部により出力される前記所定の電圧と基準電圧とを比較し、前記所定の電圧が前記基準電圧よりも大きい場合、切り替え電圧を出力する比較部を有し、
前記電流監視部と前記比較部とは、前記供給部を識別する識別端子を介して接続されていることを特徴とする請求項１から３に記載の電子機器。
【請求項５】
前記動作状態監視部は、前記本体部内の温度を検出する温度検出部を備え、
前記記憶部は、前記動作状態に応じた前記本体部内の温度を記憶し、
前記電流監視部は、前記記憶部に記憶される前記動作状態に応じた前記本体部内の温度と前記温度検出部により検出される温度とに基づいて、前記所定の電圧を出力することを特徴とする請求項３に記載の電子機器。
【発明の詳細な説明】
【技術分野】
【０００１】
本発明は、過電流を検出する機能を備える電子機器に関する。
【背景技術】
【０００２】
従来、携帯電話機等の電子機器に搭載される電池パックには、一般的に保護回路が設けられている。保護回路は、電池パックを充電する際の過電圧保護、充電端子の短絡時の過電流保護、電池パックの過放電時の過放電保護等の機能を有する。
【０００３】
このような保護回路は、比較的大きな電流値を検出したときに、短時間で電池パックを保護するように設計されている。
【０００４】
例えば、特許文献１には、ヒューズによって保護回路を構成した技術が記載されている。
【先行技術文献】
【特許文献】
【０００５】
【特許文献１】特開２００３−３４６７５０号公報
【発明の概要】
【発明が解決しようとする課題】
【０００６】
しかしながら、特許文献１に記載された電池パックでは、電池パックが発熱した際にヒューズが溶断されることによって過電流の供給を遮断する構成を有しているため、ヒューズは、発熱して溶断するたびに交換する必要がある。
【０００７】
そこで、本発明は、過電流による発熱を抑制できる電子機器を提供することを目的とする。
【課題を解決するための手段】
【０００８】
本発明に係る電子機器は、上記課題を解決するために、電流を消費する本体部と、前記本体部に電流を供給する供給部と、前記供給部から前記本体部に供給される供給電流を検出する電流検出部と、前記電流検出部により検出される前記供給電流に基づいて算出される電圧が所定の閾値を超えた場合、所定の電圧を出力する電流監視部と、前記所定の電圧に基づいて、前記供給部から前記本体部への電流の供給を遮断するトランジスタスイッチ部とを備えることを特徴とする。
【０００９】
また、前記電流検出部は、所定の抵抗値を有する抵抗を含んで構成されており、前記所定の閾値は、前記所定の抵抗値に応じた値であることが好ましい。
【００１０】
また、前記本体部の動作状態を監視する動作状態監視部と、前記動作状態と当該動作状態に応じた電流値とを対応付けて記憶する記憶部と、前記動作状態監視部により監視される動作状態と前記記憶部に対応付けて記憶される前記動作状態に応じた電流値とに基づいて、前記所定の閾値を設定する設定部とを更に備えることが好ましい。
【００１１】
また、前記電流監視部は、前記本体部に備えられ、前記供給部に備えられ、前記電流監視部により出力される前記所定の電圧と基準電圧とを比較し、前記所定の電圧が前記基準電圧よりも大きい場合、切り替え電圧を出力する比較部を有し、前記電流監視部と前記比較部とは、前記供給部を識別する識別端子を介して接続されていることが好ましい。
【００１２】
また、前記動作状態監視部は、前記本体部内の温度を検出する温度検出部を備え、前記記憶部は、前記動作状態に応じた前記本体部内の温度を記憶し、前記電流監視部は、前記記憶部に記憶される前記動作状態に応じた前記本体部内の温度と前記温度検出部により検出される温度とに基づいて、前記所定の電圧を出力することが好ましい。
【発明の効果】
【００１３】
本発明によれば、過電流による発熱を抑制できる電子機器を提供することができる。
【図面の簡単な説明】
【００１４】
【図１】本発明に係る電子機器の一例である携帯電話機の外観斜視図である。
【図２】操作部側筐体の一部を分解した斜視図である。
【図３】携帯電話機の機能を示すブロック図である。
【図４】第１実施形態の携帯電話機の回路構成を示す回路図である。
【図５】第２実施形態の携帯電話機の回路構成を示す回路図である。
【図６】レジスタブロックに記憶される４ビットのレジスタマップＡの一例を示す図である。
【図７】レジスタブロックに記憶される４ビットのレジスタマップＢの一例を示す図である。
【図８】システムＩＣの処理の流れについて示すフローチャートである。
【発明を実施するための形態】
【００１５】
以下、本発明の実施の形態について説明する。図１は、本発明に係る電子機器の一例である携帯電話機１の外観斜視図である。なお、以下では、携帯電話機について説明するが、本発明はこれに限定されるものではなく、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１６】
携帯電話機１は、操作部側筐体２と、表示部側筐体３と、を備える。操作部側筐体２は、表面部１０に、操作キー群１１と、使用者が通話時に発した音声が入力されるマイク１２と、を備える。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１７】
また、表示部側筐体３は、表面部２０に、各種情報を表示するためのディスプレイ２１と、通話の相手側の音声を出力する音声出力部２２と、を備える。
【００１８】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とが折り畳まれた状態（折畳み状態）にしたりできる。
【００１９】
なお、図１は、いわゆる折り畳み型の携帯電話機の形態を示しているが、本発明に係る携帯電話機の形態としては特にこれに限られず、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）等であってもよい。
【００２０】
また、図２は、操作部側筐体２の一部を分解した斜視図を示している。操作部側筐体２は、図２に示すように、回路基板３０と、リアケース部３１と、充電可能な電池である充電池３２と、電池パックカバー３３と、によって構成されている。
【００２１】
回路基板３０は、所定の演算処理を行うＣＰＵ等の素子（後述するシステムＩＣ８４に相当）が実装されており、表面部１０上の操作キー群１１が使用者により操作が行われたときに、所定の信号がＣＰＵに供給される。また、回路基板３０には、電池端子として正極端子８１、負極端子８２、及びＩＤ端子８３が実装されている。
【００２２】
リアケース部３１は、ヒンジ機構４を固定するヒンジ機構固定部３１Ａと、所定の使用周波数帯により通信を行うメインアンテナ７０を収納するメインアンテナ収納部３１Ｂと、充電池３２を格納する電池パック格納部３１Ｃと、を備えている。
【００２３】
図３は、本実施形態の携帯電話機１の機能を示すブロック図である。携帯電話機１は、図３に示すように、メインアンテナ７０と、メインアンテナ７０に接続されている送受信処理ブロック６０と、各種情報を表示するためのディスプレイ２１と、通話の相手側の音声を出力する音声出力部２２と、メモリ６３と、システムＩＣ８４と、２次電池としての充電池３２と、操作キー群１１と、を備える。
【００２４】
メインアンテナ７０は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ７０は、所定の使用周波数帯の他に、他の使用周波数帯（例えば、２ＧＨｚ）に対応できる、いわゆるデュアルバンド対応型による構成であってもよいし、更に、３つ以上の使用周波数帯にも対応できる複数バンド対応型により構成されていてもよい。
【００２５】
送受信処理ブロック６０は、メインアンテナ７０によって受信した信号をローノイズアンプにより増幅し、増幅後の信号を復調処理し、処理後の信号をシステムＩＣ８４に供給し、また、システムＩＣ８４から供給された信号を変調処理し、変調処理後の信号をパワーアンプにより増幅し、増幅後の信号をメインアンテナ７０から外部装置（基地局）に送信する。
【００２６】
ディスプレイ２１及び音声出力部２２は、使用者に対して各種情報を視覚的、聴覚的に報知する報知部としての役割を担っている。
【００２７】
メモリ６３は、不揮発性記憶媒体であって、各種データを記憶する。
【００２８】
システムＩＣ８４は、ＲＯＭ、ＲＡＭ、ＡＬＵ（Ａｒｉｔｈｍｅｔｉｃ  ａｎｄ  Ｌｏｇｉｃ  Ｕｎｉｔ）、クロック信号生成部、Ａ／Ｄコンバータ部、複数のＩ／Ｏポート等を備え、携帯電話機１全体を制御する。なお、後述の第２実施形態におけるシステムＩＣ８６は、第１実施形態におけるシステムＩＣ８４に相当する。
【００２９】
＜第１実施形態＞
図４は、第１実施形態の携帯電話機１の回路構成を示す回路図である。図４に示すように、携帯電話機１の本体部８０は、正極端子８１と、負極端子８２と、ＩＤ端子８３（識別端子）と、システムＩＣ８４（電流監視部）と、抵抗Ｒ１と、トランジスタＴｒ１（電流監視部）と、トランジスタＴｒ２（電流監視部）と、電流検出抵抗Ｒｓ（電流検出部）と、オペアンプＯＰ１（電流監視部）と、を備える。
【００３０】
また、携帯電話機１の充電池３２（供給部）は、主として、正極端子４１と、負極端子４２と、ＩＤ端子４３（識別端子）と、電流を供給するバッテリセル４４と、ＰＴＣ（ｐｏｓｉｔｉｖｅ  ｔｅｍｐｅｒａｔｕｒｅ  ｃｏｅｆｆｉｃｉｅｎｔ）抵抗素子４５と、バッテリセル４４からの放電を制御するＦＥＴスイッチ４６（トランジスタスイッチ部）と、バッテリセル４４への充電を制御するＦＥＴスイッチ４７と、保護ＩＣ５６と、抵抗Ｒ２と、抵抗Ｒ３と、オペアンプＯＰ２（比較部）と、コンデンサＣ１と、基準電圧Ｖｒｅｆと、トランジスタＴｒ３（比較部）と、を備える。
【００３１】
先ず、本体部８０の回路構成について説明する。本体部８０の正極端子８１、負極端子８２及びＩＤ端子８３は、それぞれ充電池３２の正極端子４１、負極端子４２及びＩＤ端子４３と接続する。
【００３２】
正極端子８１は、電流検出抵抗Ｒｓの一端と接続される。また、正極端子８１は、トランジスタＴｒ１のエミッタ側に接続される。負極端子８２は、本体部８０内と接続する。ＩＤ端子８３は、ＩＤ端子４３と接続する。また、ＩＤ端子８３は、Ａ／Ｄ端子８４ａと接続する。
【００３３】
電流検出抵抗Ｒｓは、一端が正極端子８１と接続され、他端がシステムＩＣ８４のＶＤＤ端子と接続している。そして、電流検出抵抗Ｒｓは、バッテリセル４４から正極端子４１及び正極端子８１を介して供給される供給電流を検出する抵抗である。
【００３４】
オペアンプＯＰ１は、プラス端子が電流検出抵抗Ｒｓの入力側と接続し、マイナス端子が電流検出抵抗Ｒｓの出力側と接続する。また、オペアンプＯＰ１の出力側は、トランジスタＴｒ２のベースと接続する。そして、オペアンプＯＰ１は、電流検出抵抗Ｒｓにより検出される供給電流を電圧に変換し、変換された電圧をトランジスタＴｒ２のベースへ供給する。
【００３５】
トランジスタＴｒ１は、エミッタが正極端子８１と接続し、ベースがトランジスタＴｒ２のコレクタと接続し、コレクタがＡ／Ｄ端子８４ａ及びＩＤ端子８３と接続している。
【００３６】
トランジスタＴｒ２は、エミッタが接地され、ベースがオペアンプＯＰ１の出力側と接続し、コレクタがトランジスタＴｒ１のベースと接続している。抵抗Ｒ１は、一端が正極端子８１と接続し、他端がＩＤ端子８３と接続している。
【００３７】
次に、充電池３２の回路構成について説明する。正極端子４１は、バッテリセル４４と接続し、正極端子８１を介してバッテリセル４４から供給される電流を本体部８０へ供給する。負極端子４２は、ＦＥＴスイッチ４７及び保護ＩＣ５６と接続する。ＩＤ端子４３は、オペアンプＯＰ２のプラス端子と接続する。
【００３８】
バッテリセル４４は、一端が正極端子４１と接続し、他端がＰＴＣ抵抗素子４５と接続している。そして、バッテリセル４４は、正極端子４１及び正極端子８１を介して、本体部８０に電流（供給電流）を供給する。
【００３９】
抵抗Ｒ２は、ＩＤ端子４３とオペアンプＯＰ２のプラス端子との間に一端が接続され、他端が接地されている。そして、抵抗Ｒ２は、システムＩＣ８４からの規定電圧に応じて充電池３２の種別を判定するために設けられている。
【００４０】
抵抗Ｒ３は、ＦＥＴスイッチ４６のゲートラインと保護ＩＣ５６との間に配置され、ＦＥＴスイッチ４６のゲートラインからの入力電流から保護ＩＣ５６の入力ポートを保護している。
【００４１】
オペアンプＯＰ２は、プラス端子がＩＤ端子４３と接続している。また、オペアンプＯＰ２は、プラス端子側及び出力側にコンデンサＣ１が接続されている。また、オペアンプＯＰ２は、マイナス端子に基準電圧Ｖｒｅｆが接続されている。そして、オペアンプＯＰ２は、プラス端子に入力される電圧と、基準電圧Ｖｒｅｆとを比較するコンパレータとして動作する。
【００４２】
トランジスタＴｒ３は、ベースにオペアンプＯＰ２の出力側が接続され、エミッタが接地されている。また、トランジスタＴｒ３は、コレクタがＦＥＴスイッチ４６の一端と接続されている。
【００４３】
保護ＩＣ５６は、バッテリセル４４からの過電流、過電圧、及び過放電を検出し、検出された状態に応じてＦＥＴスイッチ４６及びＦＥＴスイッチ４７を制御し、バッテリセル４４の過電流、過電圧、及び過放電を抑制する。具体的には、例えば保護ＩＣ５６には、予め閾値電流が設定され、設定された閾値電流を超えた場合、過電流であると判断して、ＦＥＴスイッチ４６をＯＦＦ状態にする。ここで、予め設定される閾値電流は、例えば携帯電話機１の動作に必要となる電流値より高い電流値を設定することができる。
【００４４】
ＦＥＴスイッチ４６は、例えばＭＯＳＦＥＴにより構成され、ＦＥＴスイッチ４６のゲートラインには、トランジスタＴｒ３が接続される。そして、ＦＥＴスイッチ４６は、バッテリセル４４からの本体部８０への放電を制御するトランジスタスイッチ部である。
【００４５】
ＦＥＴスイッチ４７は、例えばＭＯＳＦＥＴにより構成され、バッテリセル４４への給電を制御するスイッチ部である。なお、ＦＥＴスイッチ４６及び４７の回路中のダイオードは寄生ダイオードである。
【００４６】
ここで、第１実施形態の携帯電話機１における本体部８０及び充電池３２の動作について説明する。
【００４７】
電流検出抵抗Ｒｓは、バッテリセル４４から本体部８０へ供給される供給電流を検出する。そして、電流検出抵抗Ｒｓにより検出される供給電流をオペアンプＯＰ１により電圧Ｖ２に変換する。オペアンプＯＰ１により変換された電圧Ｖ２がトランジスタＴｒ２を動作させる電圧Ｖｔｈ（所定の閾値）を超えた場合、トランジスタＴｒ１が動作する。ここで、電圧Ｖｔｈは、電流検出抵抗Ｒｓの抵抗値に応じた値に設定することで、電流検出抵抗Ｒｓに供給される供給電流が過電流である場合に、トランジスタＴｒ２及びＴｒ１を動作させることができる。
【００４８】
トランジスタＴｒ１が動作すると、トランジスタＴｒ１は、電圧Ｖ１を出力する。このように、オペアンプＯＰ１、トランジスタＴｒ１、トランジスタＴｒ２及びシステムＩＣ８４は、電流検出抵抗Ｒｓにより検出される供給電流に応じた電圧Ｖ１が、所定の閾値Ｖｔｈを超えた場合、電圧Ｖ２を出力する電流監視部として機能する。
【００４９】
トランジスタＴｒ１が動作すると、ＩＤ端子８３に供給される電圧は、トランジスタＴｒ１から出力される電圧Ｖ１と、Ａ／Ｄ端子８４ａとから出力される電圧Ｖ３との合計電圧Ｖ４（Ｖ４＝Ｖ１＋Ｖ３）となる。そして、この電圧Ｖ４がＩＤ端子８３からＩＤ端子４３を介して、オペアンプＯＰ２のプラス端子へ出力される。
【００５０】
オペアンプＯＰ２は、コンパレータとして機能し、プラス端子に入力される電圧Ｖ４と、マイナス端子に入力される基準電圧Ｖｒｅｆとを比較する。そして、オペアンプＯＰ２は、プラス端子に入力される電圧Ｖ４がマイナス端子に入力される基準電圧Ｖｒｅｆよりも大きい場合には、トランジスタＴｒ３を動作させる電圧を出力する。
【００５１】
そして、トランジスタＴｒ３が動作すると、トランジスタＴｒ３は、電圧Ｖ５（切り替え電圧）を出力する。このように、オペアンプＯＰ２及びトランジスタＴｒ３は、電流監視部により出力される電圧Ｖ４と基準電圧Ｖｒｅｆとを比較し、電圧Ｖ４が基準電圧Ｖｒｅｆよりも大きい場合には、電圧Ｖ５を出力する比較部として機能する。
【００５２】
ＦＥＴスイッチ４６は、トランジスタＴｒ３から電圧Ｖ５が入力された場合、スイッチを遮断して、バッテリセル４４から正極端子４１への電流の供給を遮断する。又、コンデンサＣ１は、電流の供給を遮断した後の発振周期を調整する。
【００５３】
このように第１実施形態の携帯電話機１によれば、本体部８０は、電流検出抵抗Ｒｓにより検出される供給電流に基づいて算出される電圧Ｖ２が所定の閾値Ｖｔｈを超えた場合、電圧Ｖ４を出力する電流監視部と、電流監視部により出力される電圧Ｖ４と基準電圧Ｖｒｅｆとを比較し、電圧Ｖ４が基準電圧Ｖｒｅｆよりも大きい場合には、電圧Ｖ５を出力する比較部と、電圧Ｖ５が入力された場合、バッテリセル４４から本体部８０への電流の供給を遮断するＦＥＴスイッチ４６と、を備える。
【００５４】
このため、第１実施形態の携帯電話機１によれば、ＦＥＴスイッチ４６によりバッテリセル４４から本体部８０へ流れる過電流を遮断できる。したがって、例えば、ヒューズによりバッテリセル４４から本体部８０へ流れる電流を遮断する場合と比べて、電流を遮断した後のヒューズ交換を必要としない。
【００５５】
また、第１実施形態の携帯電話機１によれば、電流検出抵抗Ｒｓにより検出された供給電流に基づいて、バッテリセル４４から本体部８０への電流の供給を遮断するため、高い精度で過電流を検出することができる。
【００５６】
また、第１実施形態の携帯電話機１によれば、充電池３２側で電流を遮断するため、本体部８０側には電流が流れなくなり、過電流から本体部８０を好適に保護することができる。
【００５７】
また、第１実施形態の携帯電話機１によれば、ＦＥＴスイッチ４６の切り替えにより電流を遮断するため、スイッチの切り替えの際には、ほとんど発熱しない。したがって、充電池３２の内部に配置されていても、発熱による充電池３２の故障を抑制することができる。
【００５８】
また、第１実施形態の携帯電話機１によれば、ＦＥＴスイッチ４６は、本体部８０への放電を制御するトランジスタスイッチ部である。このため、トランジスタスイッチ部がＦＥＴスイッチを兼ねるので、部品点数を削減することができる。
【００５９】
また、第１実施形態の携帯電話機１によれば、電流監視部と比較部とは、充電池３２を識別するＩＤ端子４３及び８３を介して接続しているため、電流監視部と比較部とを接続する部品を削減することができる。
【００６０】
次に、第２実施形態の携帯電話機１について説明する。なお、第２実施形態では、第１実施形態と同一の構成には、同一の符号を付し、第１実施形態と同一の動作及び機能については、説明を簡略化又は省略する。第２実施形態の携帯電話機１は、本体部８０の動作状態に応じて閾値を設定できる点が第１実施形態とは異なる。
【００６１】
図５は、第２実施形態の携帯電話機１の回路構成を示す回路図である。図５に示すように、第２実施形態の携帯電話機１の本体部８０は、正極端子８１と、負極端子８２と、ＩＤ端子８３と、システムＩＣ８６と、抵抗Ｒ１と、トランジスタＴｒ４と、電流検出抵抗Ｒｓと、オペアンプＯＰ１と、サーミスタ９０と、抵抗Ｒ４と、を備える。
【００６２】
トランジスタＴｒ４は、エミッタが正極端子８１と接続し、ベースがシステムＩＣ８６のＯＦＦ端子８６ｂと接続する。また、トランジスタＴｒ４は、コレクタがＩＤ端子８３と接続している。
【００６３】
システムＩＣ８６は、Ａ／Ｄ端子８６ａと、ＯＦＦ端子８６ｂと、Ａ／Ｄ端子８６ｃと、Ａ／Ｄ端子８６ｄと、レジスタブロック８７と、を備えている。
【００６４】
Ａ／Ｄ端子８６ａは、トランジスタＴｒ４及びＩＤ端子８３と接続する。ＯＦＦ端子８６ｂは、トランジスタＴｒ４のベースと接続する。Ａ／Ｄ端子８６ｃは、オペアンプＯＰ１と接続する。Ａ／Ｄ端子８６ｄは、サーミスタ９０及び抵抗Ｒ４と接続する。
【００６５】
システムＩＣ８６は、本体部８０の動作状態を監視する動作状態監視部として機能する。ここで、本体部８０の動作状態とは、本体部８０、すなわち携帯電話機１の待受け状態、テレビ放送受信状態、通話状態等の様々な状態をいう。
【００６６】
レジスタブロック８７は、本体部８０の動作状態と、この動作状態に応じた電流値とを対応付けて記憶するレジスタマップを記憶している。図６は、レジスタブロック８７に記憶される４ビットのレジスタマップＡの一例を示す図である。図６に示すように、レジスタマップＡは、本体部８０の動作状態に対応する設定値と、この設定値に応じた電流値とを対応付けて記憶する。なお、図６のレジスタマップＡでは、４ビットの例を示したが、これに限らない。レジスタマップの設定値（分解能）は、必要に応じてビット数を増加することで、本体部８０の動作状態に対応する電流値をより多段階に設定することが可能となる。
【００６７】
ここで、第２実施形態の携帯電話機１における本体部８０及び充電池３２の動作について説明する。先ず、電流検出抵抗Ｒｓは、バッテリセル４４から本体部８０へ供給される供給電流を検出する。そして、電流検出抵抗Ｒｓにより検出される供給電流は、オペアンプＯＰ１により電圧Ｖ１１に変換される。変換後の電圧Ｖ１１は、システムＩＣ８６のＡ／Ｄ端子８６ｃに出力される。
【００６８】
一方で、システムＩＣ８６は、本体部８０の動作状態を監視する。そして、システムＩＣ８６は、監視された本体部８０の動作状態と、レジスタブロック８７に対応付けて記憶される本体部８０の動作状態に応じた電流値とに基づいて、閾値電圧Ｖｔｈを設定する。このように、システムＩＣ８６は、動作状態監視部及び設定部として機能する。
【００６９】
そして、システムＩＣ８６は、オペアンプＯＰ１からＡ／Ｄ端子８６ｃに入力された電圧Ｖ１１が閾値電圧Ｖｔｈを超えた場合、ＯＦＦ端子８６ｂからトランジスタＴｒ４のベースへトランジスタＴｒ４を動作させる電圧を出力する。
【００７０】
トランジスタＴｒ４のベースにＯＦＦ端子８６ｂからの電圧が入力されると、トランジスタＴｒ４は、動作して、電圧Ｖ１２を出力する
【００７１】
そして、ＩＤ端子８３に入力される電圧は、トランジスタＴｒ４から出力された電圧Ｖ１２と、Ａ／Ｄ端子８６ａから出力された電圧Ｖ１３との合計電圧Ｖ１４（Ｖ１４＝Ｖ１２＋Ｖ１３）となる。
【００７２】
この合計電圧Ｖ１４が上述した第１実施形態と同様にオペアンプＯＰ２へ出力される。なお、オペアンプＯＰ２、トランジスタＴｒ３及びＦＥＴスイッチ４６の動作については、第１実施形態と同様の動作であるため、説明を省略する。
【００７３】
また、図５に示すように、第２実施形態の携帯電話機１は、システムＩＣ８６のＡ／Ｄ端子８６ｄにサーミスタ９０と抵抗Ｒ４を接続するように構成してもよい。サーミスタ９０は、温度変化に応じて、サーミスタ９０内部の抵抗値が変化することを利用して、温度の検出を行う。サーミスタ９０は、本体部８０内の温度を検出し、検出された温度をシステムＩＣ８６へ通知する。
【００７４】
この場合、レジスタブロック８７は、本体部８０の動作状態に対応する設定値と、この設定値に対応する本体部８０内の温度とを対応付けて記憶するレジスタマップをさらに記憶している。図７は、レジスタブロック８７に記憶される４ビットのレジスタマップＢの一例を示す図である。図７に示すように、レジスタマップＢは、本体部８０の動作状態に対応する設定値と、この設定値に応じた本体部８０内の温度とを対応付けて記憶する。
【００７５】
そして、システムＩＣ８６は、サーミスタ９０により検出される本体部８０内の温度と、レジスタブロック８７に記憶される本体部８０の動作状態に応じた温度とに基づいて、電圧をトランジスタＴｒ４へ出力する。
【００７６】
これにより、トランジスタＴｒ４、オペアンプＯＰ２、トランジスタＴｒ３及びＦＥＴスイッチ４６を動作させることができ、本体部８０内の温度に応じて、充電池３２からの本体部８０への電流の供給を遮断することができる。したがって、本体部８０に過電流が供給された場合だけでなく、本体部８０内の温度が、携帯電話機１に動作に不適合な温度にまで上昇した場合にも、充電池３２から本体部８０への電流の供給を遮断することができる。
【００７７】
次に、第２実施形態の携帯電話機１に係るシステムＩＣ８６の処理の流れについて図８のフローチャートを参照して説明する。なお、本体部８０の電源がＯＦＦ状態であることを前提とする。
【００７８】
ステップＳ１において、システムＩＣ８６は、例えば操作キー群１１からの携帯電話機１の電源の投入操作に応じて、本体部８０の電源をＯＮ状態にする。
【００７９】
ステップＳ２において、システムＩＣ８６は、Ａ／Ｄ端子８６ａからＩＤ端子８３及びＩＤ端子４３を介して充電池３２へ電圧を供給し、充電池３２が正規品であるか否かを判定する。充電池３２が正規品である場合（Ｙｅｓ）には、ステップＳ４へ移る。一方、充電池３２が正規品でない場合（Ｎｏ）には、ステップＳ３へ移る。
【００８０】
ステップＳ３において、システムＩＣ８６は、本体部８０の電源を遮断し、ＯＦＦ状態となるように制御と共に、ディスプレイ２１及び／又は音声出力部２２によりユーザに対して充電池３２が正規品ではなく、不適合品であることを報知する。これにより、正規品でない充電池３２によって携帯電話機１へ電流を供給することを抑制することができる。
【００８１】
ステップＳ４において、システムＩＣ８６は、本体部８０の動作状態を監視し、本体部８０の動作状態に変化があったか否かを判定する。本体部８０の動作状態に変化があった場合（Ｙｅｓ）には、ステップＳ５へ移る。一方、本体部８０の動作状態に変化がない場合（Ｎｏ）には、ステップＳ４へ移る。
【００８２】
ステップＳ５において、システムＩＣ８６は、監視された本体部８０の動作状態と、レジスタブロック８７に対応付けて記憶される本体部８０の動作状態に応じた電流値とに基づいて、所定の閾値としての電圧値Ｖｔｈを設定する。
【００８３】
ステップＳ６において、システムＩＣ８６は、本体部８０の電源が遮断されたか否かを判定する。本体部８０の電源が遮断された場合（Ｙｅｓ）には、ステップＳ７へ移る。一方、本体部８０の電源が遮断されない場合（Ｎｏ）には、ステップＳ４へ移る。
【００８４】
ステップＳ７において、システムＩＣ８６は、本体部８０の電源が遮断されたため、レジスタブロック８７を参照して、本体部８０を起動する際に必要な電圧値に所定の閾値としての電圧値Ｖｔｈを設定する。
【００８５】
このように第２実施形態の携帯電話機１によれば、第１実施形態の効果に加えて以下の効果を奏することができる。
【００８６】
第２実施形態の携帯電話機１は、本体部８０の動作状態に応じて、閾値電圧Ｖｔｈを段階的に設定することができる。したがって、本体部８０の動作状態に応じて、本体部８０に過電流が供給された場合、この過電流をより高い精度で検出することができる。
【００８７】
以上、本発明の一実施形態について説明したが、本発明は前述した実施形態に制限されるものではなく、適宜変更が可能である。上述した実施形態では、携帯電話機１の動作状態の一例として、通話、テレビ視聴、待ち受け状態等を挙げたが、これに限らない。例えば、携帯電話機１で動作可能な他の機能を動作状態として用いてもよい。
【符号の説明】
【００８８】
１  携帯電話機（電子機器）
３２  充電池（供給部）
４４  バッテリセル
４６  ＦＥＴスイッチ（トランジスタスイッチ部）
８０  本体部
ＯＰ１  オペアンプ（電流監視部）
ＯＰ２  オペアンプ（比較部）
Ｒｓ  電流検出抵抗（電流検出部）
Ｔｒ１  トランジスタ（電流監視部）
Ｔｒ２  トランジスタ（電流監視部）
Ｔｒ３  トランジスタ（比較部）
【図１】
2010200502.tif 000003
【図２】
2010200502.tif 000004
【図３】
2010200502.tif 000005
【図４】
2010200502.tif 000006
【図５】
2010200502.tif 000007
【図６】
2010200502.tif 000008
【図７】
2010200502.tif 000009
【図８】
2010200502.tif 000010